【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
電気装備品に沿って部分放電場所で発生する部分放電を検出し、前記部分放電の位置を測定し、前記部分放電を判定する装置であって、
前記電気装備品中を進行するパルスが測定プローブで検出でき、また、前記電気装備品の位相角が同期プローブで検出できるように、前記電気装備品に沿って取り付けできる２つの測定プローブおよび１つの同期プローブと、
前記検出パルスを表す信号を受け取るために前記測定プローブに接続し、また、前記検出位相角を表す信号を獲得するために前記同期プローブに接続する制御装置であって、前記受け取られた信号を選択的に調整する回路を持つ制御装置と、
前記制御装置に接続して、前記検出位相角に応じて、選択的調整後で前記信号を獲得して、かつ前記制御装置を駆動するデジタル処理装置であって、前記獲得信号の相関を測定する相関測定モジュール、前記獲得信号の少なくとも１つの時間・周波数分布を実行するモジュール、前記時間・周波数分布から得られたフォームファクタを概算するフォームファクタ概算モジュール、および、前記相関測定モジュールと前記フォームファクタ概算モジュールによってもたらされた結果に応答して、前記電気装備品に沿って、部分放電の検出と、前記部分放電の位置測定を表す診断を生み出す診断モジュールとを有するデジタル処理装置と、
を備える装置。
【請求項２】
前記デジタル処理装置が、前記測定プローブ間で範囲外の伝搬遅延のある検出パルスから得られた前記獲得信号中のトレースに対応する診断ソリューションの候補を排除する候補排除モジュールをさらに備える請求項１に記載の装置。
【請求項３】
前記候補排除モジュールにより範囲外であると見なされる遅延に対するしきい値がユーザにより設定できる請求項２に記載の装置。
【請求項４】
前記制御装置が、前記同期プローブに送られて、そこで、前記電気装備品に注入される試験信号を発生させる回路を備え、また、前記デジタル処理装置が、前記電気装備品に注入された前記試験信号に起因する、前記測定プローブにより検出されたパルスに対応する前記獲得信号から、前記測定プローブ間の前記伝搬遅延を決定する傾向があり、また、範囲外であると見なされる遅延に対するしきい値が、このように決定された前記伝搬遅延に応じて設定される請求項２に記載の装置。
【請求項５】
前記デジタル処理装置が、最大相関のピークと、他の相関ピークとの比率に応じて、誤り確率を概算するモジュールをさらに備え、また、前記誤り確率が事前設定しきい値を超えるときには、診断根拠の第２の有望な候補を表す警告信号が前記診断モジュールに送られる請求項１に記載の装置。
【請求項６】
前記デジタル処理装置が、前記獲得信号中に代表的な放射線トレースを検出するモジュールをさらに備え、また、前記獲得信号が放射線に相当することが立証されるときには、前記獲得信号の処理を停止して、「放射線」診断を持続する請求項１に記載の装置。
【請求項７】
前記相関測定モジュールが、前記獲得信号中のパルスの極性を表す信号、前記相関信号の相関係数、高振幅放電の時間的トレース部分、および、前記測定プローブで感知される同一放電間の時間的距離を前記診断モジュールに提供する請求項１に記載の装置。
【請求項８】
前記デジタル処理装置が、前記相関測定モジュール、および、前記時間・周波数分布を実行するモジュールの上流側にクラスタ化モジュールをさらに備えて、前記獲得信号をそれぞれのクラスタにクラスタ化して、前記クラスタ中の信号を特徴づけるシグナチュアを生成し、前記シグナチュアにて、前記相関と前記時間・周波数分布を得る請求項１に記載の装置。
【請求項９】
電気装備品に沿って部分放電場所で発生する部分放電を検出し、前記部分放電の位置を測定し、前記部分放電を判定する方法であって、
前記電気装備品に沿って相隔たる２つの測定プローブを用いて、前記電気装備品中を進行するパルスを検出するステップと、
前記電気装備品に沿って位置づけられた同期プローブを用いて、前記電気装備品の位相角を検出するステップと、
前記検出パルスを表す信号の選択的調整を行うステップと、
前記検出位相角に応じて、前記選択的調整の後で前記信号を獲得するステップと、
前記獲得信号を相関させるステップと、
前記獲得信号の少なくとも１つを、時間・周波数分布で提示するステップと、
前記時間・周波数分布から得られたフォームファクタを概算するステップと、
前記相関と前記フォームファクタからの結果に応じて、前記電気装備品に沿って、部分放電の検出と、前記部分放電の位置測定を表す診断を確立するステップと、
を含む方法。
【請求項１０】
前記測定プローブ間で範囲外の伝搬遅延のある検出パルスから得られた前記獲得信号中のトレースに対応する診断ソリューションの候補を排除するステップをさらに含む請求項９に記載の方法。
【請求項１１】
前記同期プローブに送られて、そこで、前記電気装備品に注入される試験信号を発生させるステップと、
前記電気装備品に注入された前記試験信号に起因する、前記測定プローブにより検出されたパルスに対応する前記獲得信号から、前記測定プローブ間の伝搬遅延を決定し、次に、範囲外であると見なされる遅延に対するしきい値を、このように決定された伝搬遅延に応じて設定するステップと、
をさらに含む請求項１０に記載の方法。
【請求項１２】
前記同期プローブに送られて、そこで、前記電気装備品に注入される試験信号を発生させるステップと、
前記電気装備品に注入された前記試験信号に対応する前記獲得信号に応じて、前記測定プローブの構成をチェックするステップと、
をさらに含む請求項９に記載の方法。
【請求項１３】
最大相関のピークと、他の相関ピークとの比率に応じて、誤り確率を概算し、前記誤り確率が事前設定しきい値を超えるときには診断根拠の第２の有望な候補を表す警告信号を生じさせるステップをさらに含む請求項９に記載の方法。
【請求項１４】
前記獲得信号中に代表的な放射線トレースを検出し、前記獲得信号が放射線に相当することが立証されるときには、前記獲得信号の処理を停止して、「放射線」診断を持続するステップをさらに含む請求項９に記載の方法。
【請求項１５】
前記診断が、前記獲得信号中のパルスの極性を表す信号、前記相関信号の相関係数、高振幅放電の時間的トレース部分、前記測定プローブで感知される同一放電間の時間的距離、等価帯域幅、および、前記高振幅放電の立上り時間にも基づいて確立される請求項９に記載の方法。
【請求項１６】
前記フォームファクタが、前記獲得信号のうちの１つの獲得信号中の放電パルスの時間の長さと比べたスペクトル・バンド幅の比率に相当し、また、前記スペクトル・バンド幅と前記時間の長さが、主だったスペクトル線、および、時間・周波数分布で与えられる前記部分放電の時間的マージナルから概算される請求項９に記載の方法。
【請求項１７】
前記時間・周波数分布が、まず最初に、前記フォームファクタの概算前に、時間・周波数フィルタリングを受けて、前記時間領域内でほぼ一定のスペクトル電力を示すバックグラウンド・ノイズを除去する請求項１６に記載の方法。
【請求項１８】
前記獲得信号をそれぞれのクラスタにクラスタ化して、前記クラスタ中の信号を特徴づけるシグナチュアを生成し、前記シグナチュアにて、前記相関と前記時間・周波数分布を得るステップをさらに含む請求項９に記載の方法。
【請求項１９】
部分放電に起因する電気装備品中を進行するパルスを検出する広帯域磁気プローブであって、
前記電気装備品の一区画を取り巻く傾向がある磁気感知回路を形成する導電性ループを備えて、前記電気装備品中を進行するパルスの磁気成分を表す信号を感知する着脱自在なクランプと、
前記導電性ループを覆い、かつ静電絶縁する導電性シールドであって、前記クランプの端と端との間にギャップが現われるように、前記クランプの両端が開路状態にある導電性シールドと、
前記電気装備品の周りに前記クランプを取り付けるときに、前記ギャップが位置づけられる前記クランプの両端にて、前記導電性ループの回路を閉じるコネクタと、
前記導電性ループの回路との外部電気接続を確立するコネクタと、
を備える広帯域磁気プローブ。
【請求項２０】
前記信号をフィルタリングし、かつ増幅するために、前記導電性シールドに組み入れられ、かつ前記導電性ループに挿入された増幅回路をさらに備える請求項１９に記載の広帯域磁気プローブ。
【請求項２１】
電気装備品中の部分放電を検出する装置であって、
前記電気装備品中を進行するパルスが測定プローブで検出でき、また、前記電気装備品の位相角を表す信号が同期プローブで検出できるように、前記電気装備品に沿って取り付けできる測定プローブおよび同期プローブと、
前記検出パルスを表す信号を受け取るために前記測定プローブに接続し、また、前記位相角を表す信号を獲得するために前記同期プローブに接続する制御装置であって、前記受け取られた信号を選択的に調整する回路を持つ制御装置と、
前記制御装置に接続して、前記検出位相角の評価に応じて、選択的調整後で前記信号を獲得して、かつ前記制御装置を駆動するデジタル処理装置であって、前記獲得信号をそれぞれのクラスタにクラスタ化して、前記クラスタ中の信号を特徴づけるシグナチュアを生成するクラスタ化モジュール、前記シグナチュアの時間・周波数分布を実行するモジュール、前記時間・周波数分布から得られたフォームファクタを概算するフォームファクタ概算モジュール、前記シグナチュアの立上り時間を決定するモジュール、および、前記フォームファクタ概算モジュールと前記立上り時間を決定するモジュールによってもたらされた結果に応答して、部分放電の検出を表す診断を生み出して、その診断に応じて警告信号を生じさせる診断モジュールを有するデジタル処理装置と、
を備える装置。
【請求項２２】
電気装備品中の部分放電を検出する方法であって、
前記電気装備品に沿って位置づけられた測定プローブを用いて、前記電気装備品中を進行するパルスを検出するステップと、
前記電気装備品に沿って位置づけられた同期プローブを用いて、前記電気装備品の位相角を表す信号を検出するステップと、
前記検出パルスを表す信号の選択的調整を行うステップと、
前記位相角の評価に応じて、前記選択的調整の後で前記信号を獲得するステップと、
前記獲得信号をクラスタにクラスタ化して、前記クラスタ中の信号を特徴づけるシグナチュアを生成するステップと、
前記シグナチュアを、時間・周波数分布で提示するステップと、
前記時間・周波数分布から得られたフォームファクタを概算するステップと、
前記シグナチュアの立上り時間を決定するステップと、
前記フォームファクタと前記立上り時間からの結果に応じて、部分放電の検出を表す診断を確立するステップと、
前記診断に応じて、警告信号を生じさせるステップと、
を含む方法。
【請求項２３】
電気装備品中の部分放電を検出する装置であって、
前記電気装備品中を進行するパルスが測定プローブで検出でき、また、前記電気装備品の位相角を表す信号が同期プローブで検出できるように、前記電気装備品に沿って取り付けできる測定プローブおよび同期プローブと、
前記検出パルスを表す信号を受け取るために前記測定プローブに接続し、また、前記位相角を表す信号を獲得するために前記同期プローブに接続する制御装置であって、前記受け取られた信号を選択的に調整する回路を持つ制御装置と、
前記制御装置に接続して、前記検出位相角を考慮して選択的調整後で前記信号を獲得して、かつ前記制御装置を駆動するデジタル処理装置であって、前記獲得信号をそれぞれのクラスタにクラスタ化して、前記クラスタ中の信号を特徴づける時間シグナチュアを生成するクラスタ化モジュール、前記シグナチュアの特徴的要素を決定するモジュール、および前記特徴的要素を決定するモジュールによってもたらされた結果に応答して、部分放電の検出を表す診断を生み出して、その診断に応じて警告信号を生じさせる診断モジュールを有するデジタル処理装置と、
を備える装置。
【請求項２４】
電気装備品中の部分放電を検出する方法であって、
前記電気装備品に沿って位置づけられた測定プローブを用いて、前記電気装備品中を進行するパルスを検出するステップと、
前記電気装備品に沿って位置づけられた同期プローブを用いて、前記電気装備品の位相角を表す信号を検出するステップと、
前記検出パルスを表す信号の選択的調整を行うステップと、
前記位相角を考慮して前記選択的調整の後で前記信号を獲得するステップと、
前記獲得信号をクラスタにクラスタ化して、前記クラスタ中の信号を特徴づける時間シグナチュアを生成するステップと、
前記シグナチュアの特徴的要素を決定するステップと、
前記特徴的要素からの結果に応じて、部分放電の検出を表す診断を確立するステップと、
前記診断に応じて、警告信号を生じさせるステップと、
を含む方法。